(57)【特許請求の範囲】
【請求項１】
複数のエレベーターのうち少なくとも一のエレベーターに自動体外式除細動器などの緊急性の高い救急機器を搭載し、この救急機器搭載エレベーターに、呼出し者が指定した建造物の各フロアーに設けている、他のエレベーターに優先して呼び出し可能とした呼出しスイッチを、接続してなり、前記救急機器は、いたずら及び盗難などの防止用の防犯ブザーを設けてあり、正規使用といたずら及び盗難とを区別せずに開けることが出来、且つその開により前記防犯ブザーが鳴るようにした専用ボックスに収納されていると共に、該専用ボックスは、前記救急機器搭載エレベーターに設置されている非常用防災品備蓄庫に併設されていることを特徴とする救急機器保管運搬システム。
【請求項２】
前記呼出しスイッチに、前記救急機器搭載エレベーターを他に優先して呼び出しできる旨の表示がある請求項１記載の救急機器保管運搬システム。
【発明の詳細な説明】
【技術分野】
【０００１】  本発明は、エレベーターに緊急性の高い救急機器を常時搭載して、その救急機器を必要とするフロアーに救急機器搭載エレベーターを出来るだけ早く運搬できるようにした救急機器保管運搬システムに関する。
【背景技術】
【０００２】  緊急性の高い救急機器、例えば、自動体外式除細動品（Ａｕｔｏｍａｔｅｄ  Ｅｘｔｅｒｎａｌ  Ｄｅｆｉｂｒｉｌｌａｔｏｒの頭文字をとり、以下単に「ＡＥＤ」という）は、突然心臓がけいれんして、血液を流すポンプ機能を失った状態（心室細動）になった心臓に対し、電気ショックを与え、正常なリズムに戻すためのものである。人が心室細動になると、出来るだけ早くＡＥＤなどにて処置しなければならず、その緊急性は極めて高い。人が心室細動になってから１０分間以上経過すると、ほぼ１００％の人が助からないと言われている。したがって、ＡＥＤがいたるところに設置され、心室細動に陥ったにＡＥＤによる処置が直ちになされるのが理想である。【０００３】  しかしながら、ＡＥＤはそのイニシャルコスト及びランニングコストが高く、上記の理想にはほど遠いのが現状であり、オフィスビルやマンションなどでは１階ロビーや管理人室などにたかだか１台設置されているにすぎない。したがって、心室細動になった人がでると、１階ロビーや管理人室にＡＥＤを取りに行くか、管理人に依頼してＡＥＤを持ってきてもらうことになる。ところが、最近のオフィスビルやマンションなどの傾向として、高層化が進んでいるから、エレベーターを利用してもＡＥＤを心室細動になった人のいるフローまでもって来るのにかなりの時間がかかってしまう。【０００４】  そこで、ＡＥＤを１階ロビーや管理人室などに設置するのではなく、あるいは１階ロビーや管理人室に加えて、エレベーター内にＡＥＤを設置しておけば、心室細動になった人のフロアーにいち早くＡＥＤを到達させることができる。このような観点から、本出願人は、大地震が起きた場合、多数のエレベーターが同時に運転停止となり、エレベーター内に閉じ込めらた人々が救出されるまで長時間を待つことになることに鑑み、エレベーター内に非常用防災品備蓄庫を設置することを、特願２００８−５５５３６号にて提案している。したがって、この非常用防災品備蓄庫内に、飲料水、乾パン缶詰などの非常食、トイレ用具などに加えて、ＡＥＤを収納することが考えられる。
【発明の開示】
【発明が解決しようとする課題】
【０００５】  本出願人の提案による非常用防災品備蓄庫は、エレベーター内に設置しても、いたずらや盗難に対応出来ている点で良く、ＡＥＤを収納できるスペースさえ確保すれば、直ちに利用可能である。しかしながら、建造物にエレベーターが複数設置されている場合、全てのエレベーターの非常用防災品備蓄庫にＡＥＤを収納出来れば特に問題が無いが、ＡＥＤはそのイニシャルコスト及びランニングコストがかなり高いので、全てのエレベーターにＡＥＤを収納することは事実上困難である。【０００６】  このため、複数あるエレベーターのうち１〜２台にＡＥＤを収納した非常用防災品備蓄庫を設置することになる。そして、呼出し者が心室細動になった人がいるフロアーにエレベーターを呼び出すと、そのフロアー近くにいるエレベーターが自動選択されて、そのフロアーに来ることになる。来たエレベーターにＡＥＤが搭載されていれば良いが、そうでない場合、ＡＥＤ搭載エレベーターは、先に来たエレベーターがそのフロアーに止まっている限り、そのフロアーに止まることが無い。したがって、呼出し者は、ＡＥＤ搭載エレベーターがそのフロアーに来るまで、ＡＥＤ搭載エレベーターを呼び続けることになり、ＡＥＤの到達がかなり遅れることになる。このような事態になると、心室細動になった人を救助できない虞が生じる。【０００７】  そこで、本発明は、上記事情に鑑みてなされたもので、複数あるエレベーターの全てに緊急性の高い救急機器が搭載されていなくても、救急機器が搭載されているエレベーターを他に優先して必要フロアーに呼び出しすことが出来る救急機器保管運搬システムを提供することを課題とする。
【課題を解決するための手段】
【０００８】  本発明は、上記課題を達成するために提案されたものであって、下記の構成からなることを特徴とするものである。
すなわち、請求項１記載の発明は、複数のエレベーターのうち少なくとも一のエレベーターに自動体外式除細動器などの緊急性の高い救急機器を搭載し、この救急機器搭載エレベーターに、呼出し者が指定した建造物の各フロアーに設けている、他のエレベーターに優先して呼び出し可能とした呼出しスイッチを、接続してなり、前記救急機器は、いたずら及び盗難などの防止用の防犯ブザーを設けてあり、正規使用といたずら及び盗難とを区別せずに開けることが出来、且つその開により前記防犯ブザーが鳴るようにした専用ボックスに収納されていると共に、該専用ボックスは、前記救急機器搭載エレベーターに設置されている非常用防災品備蓄庫に併設されていることを特徴とする救急機器保管運搬システムである。【０００９】  請求項２記載の発明は、前記呼出しスイッチに、前記救急機器搭載エレベーターを他に優先して呼び出しできる旨の表示がある救急機器保管運搬システムである。
【発明の効果】
【００１０】  以上詳述したように、本発明によれば、以下のような効果がある。
請求項１記載の発明は、呼出し者があるフロアーで呼出しスイッチをオンすると、救急機器を専用ボックスに収納してあり、且つこの専用ボックスを非常用防災品備蓄庫に併設してある、救急機器搭載エレベーターが、他のエレベーターに優先してそのフロアーに来るから、呼出し者は、救急機器搭載エレベーターの専用ボックスを迷うことなく開けることができ、開けると防犯ブザーが鳴るが、緊急時であるから構わずそのまま開けて、専用ボックスからすぐに救急機器を取り出せる。したがって、全てのエレベーターに緊急性の高い救急機器が搭載されていなくても、救急機器搭載エレベーターが、他に優先して必要フロアーに直ちに来て、救急機器を早期に取得利用できる効果があり、加えて、救急機器は専用ボックスに収納されているから、防犯ブザーによりいたずらや盗難を防止出来、且つ、地震などの非常時に非常用防災品備蓄庫から非常用防災品を取り出し利用できる効果もある。【００１１】  請求項２記載の発明は、呼出しスイッチに救急機器を搭載している旨の表示が設けられているから、上記の効果に加えて、だれでも救急機器搭載エレベーターを必要フロアーに確実に呼び出すことが出来る効果がある。
【発明を実施するための最良の形態】
【００１２】  以下に、図面を参照して本発明を実施するための最良の形態を説明する。
【実施例１】
【００１３】  図１は本発明の実施の形態を示す救急機器保管運搬システムの系統図、図２は救急機器を収納する専用ボックスをエレベーター内に設置した状態の斜視図である。図面において、救急機器保管運搬システム１は、複数のエレベーター３、３ａ、３ｂのうち少なくとも一のエレベーター３に自動体外式除細動器などの緊急性の高い救急機器４（以下、救急機器４に代えて、自動体外式除細動器、すなわち、ＡＥＤ４として説明する）を搭載し、この救急機器搭載エレベーター３に、呼出し者が指定した建造物の各フロアーに設けている、他のエレベーター３ａ、３ｂに優先して呼び出し可能とした呼出しスイッチ２を、例えば、車椅子対応のエレベーターに設置されている呼出しスイッチ２を、接続してなり、ＡＥＤ４は、いたずら及び盗難などの防止用の防犯ブザー１７を設けてあり、正規使用といたずら及び盗難とを区別せずに開けることが出来、且つその開により防犯ブザー１７が鳴るようにした専用ボックス６に収納されていると共に、この専用ボックス６は、救急機器搭載エレベーター３に設置されている非常用防災品備蓄庫２０に併設されているものである。【００１４】  オフィスビルやマンションなどの建造物は、よほど小規模の場合を除き、エレベーターが複数台設置されている場合が多い。エレベーターが１台の場合、呼出し者が各フロアー毎に設けられている呼出しスイッチ２をオンすれば、必ずＡＥＤ搭載のエレベーターをそのフロアーに呼び出すことが出来る。しかし、図１のように、救急機器搭載エレベーター３、救急機器非搭載エレベーター３ａ、３ｂ（以下、単に、非搭載エレベーター３ａ、３ｂとする）と複数台あると、これらのうち呼び出しフロアーの一番近くにあるエレベーターを１台選択して、そのエレベーターが呼び出しフロアーに来ることになる。【００１５】  そこで、図１のように、制御機器５に救急機器搭載エレベーター３以外の非搭載エレベーター３ａ、３ｂ及びこれらの呼出しスイッチ２、２ａ、２ｂを電気的に接続している。そして、仮に呼び出しスイッチ２をオンした場合は、その信号は制御機器５に入力され、制御機器５は呼び出しスイッチ２の信号であることに鑑み、救急機器搭載エレベーター３にのみ作動信号を出し、他の非搭載エレベーター３ａ、３ｂに出さないようにして、救急機器搭載エレベーター３のみが呼出しスイッチ２を設置してあるフロアーに呼び出されるようにしている。したがって、呼出し者は、救急機器搭載エレベーター３に搭載されているＡＥＤ４を、確実且つロス時間無く手にすることが出来る。【００１６】  一方、呼出しスイッチ２ａ、２ｂをオンした場合は、それらの信号は制御機器５に入力されても、制御機器５は呼出しスイッチ２ａ、２ｂの信号であることに鑑み、救急機器搭載エレベーター３、非搭載エレベーター３ａ、３ｂのうち、呼出しスイッチ２ａ、２ｂによる呼び出しフロアーに一番近いエレベーター１台にのみ作動信号を出す。すなわち、救急機器搭載エレベーター３、非搭載エレベーター３ａ、３ｂから１台を自動選択をして、その１台が呼出しスイッチ２ａ、２ｂを設置してあるフロアーに呼び出される。【００１７】  そして、この呼出しスイッチ２には、ＡＥＤ４を搭載している救急機器搭載��レベーター３を他に優先して呼び出しできる旨の表示、例えば、「自動体外式除細動器搭載」、あるいは「ＡＥＤ搭載」の表示がなされている。したがって、この表示によるＡＥＤ存在の告知により周知されて、誰でもＡＥＤ４搭載の救急機器搭載エレベーター３を必要フロアーに直ちに呼び出すことが出来る。【００１８】  また、前記ＡＥＤ４は、いたずら及び盗難防止用の専用ボックス６に収納され、この専用ボックス６は、エレベーター専用であり、救急機器搭載エレベーター３の角３Ａの側壁１０に沿う両側の斜辺側板１１に底辺側板１２をつなげて形成する有底の三角筒体１３と、この三角筒体１３の上部開口を覆い且つ開閉可能な蓋体１４と、三角筒体１３と蓋体１４とを蝶番１５にて繋ぐことで構成されている。【００１９】  そして、この専用ボックス６には、図３に示すように、蓋体１４の「開」を検知する蓋体センサ１６及び防犯ブザー１７が三角筒体１３及び／または蓋体１４に取り付けられている。したがって、ＡＥＤ４にいたずらしようとし、あるいは盗もうとして専用ボックス６の蓋体１４を開けると、蓋体センサ１６が蓋体１４の「開」を検知して、防犯ブザー１７を鳴らせるから、犯人は驚き逃げることになり、これらを未然に防ぐことが出来る。【００２０】  ただし、正規にＡＥＤ４を使用するために、専用ボックス６の蓋体１４を開けても、いたずら及び盗難と正規使用とは区別が付かないから、蓋体センサ１６が蓋体１４の「開」を検知して、防犯ブザー１７が鳴ることになる。しかしながら、ＡＥＤ４を正規使用する場合は、一刻を争うので、いたずら及び盗難と正規使用とを区別して、正規使用の場合のみ蓋体１４を開けることが出来るようにすると、あわてている呼出し者は、結局蓋体１４を開けることが出来ず、専用ボックス６からＡＥＤ４を取り出すのに時間がかかることになって、この救急機器保管運搬システム１がうまく機能しない虞がある。したがって、正規使用の場合以外でも、防犯ブザー１７を鳴らすことに留めた。【００２１】  そして、上記専用ボックス６は、図４に示すように、救急機器搭載エレベーター３に設置されている非常用防災品備蓄庫２０に併設されていても良い。すなわち、専用ボックス６は、非常用防災品備蓄庫２０の上方に救急機器搭載エレベーター３の手すり２１を避けた支柱２２にて支持され、積み上げ設置されている。また、専用ボックス６にＡＥＤ４を収納しないで、非常用防災品備蓄庫２０内の空きスペースに、ＡＥＤ４を収納しても良いし、逆に、専用ボックス６に空きスペースがあれば、そこに非常用防災品を収納しても良い。これにより、救急機器搭載エレベーター３は、ＡＥＤ４を保管且つ運搬手段となり、更に、地震などで人が救急機器搭載エレベーター３内に閉じ込められても、非常用防災品備蓄庫２０内あるいは専用ボックス６内の非常用防災品を利用することが出来るものとなる。【００２２】  次に、上記構成になる救急機器保管運搬システム１の使用状況を説明する。  まず、建造物であるマンションあるいはオフィスビルのあるフロアーに心室細動になった人が発見されると、救助者はそのフロアーのエレベーターホールに急行し、「自動体外式除細動器搭載」あるいは「ＡＥＤ搭載」なる表示がある呼出し��イッチ２をオンする。このスイッチ２の信号は制御機器５に入力され、制御機器５は呼出しスイッチ２の信号であることに鑑み、救急機器搭載エレベーター３にのみ作動信号が出され、救急機器搭載エレベーター３がオンされた呼出しスイッチ２を設置してあるフロアーに最少時間で到達するから、救助者は、ロス時間少なく且つ確実にＡＥＤを手にすることが出来る。【００２３】  すなわち、救助者は、救急機器搭載エレベーター３内に入り、専用ボックス６の蓋体１４を開けて中からＡＥＤ４を取り出す。この際、蓋体センサ１６が蓋体１４の「開」を検知して、防犯ブザー１７を鳴らせるが、救助者は、正規使用なので意に介せずＡＥＤ４を持ち出し、心室細動になった人に対して使用して蘇生させることが可能となる。【００２４】  なお、ＡＥＤ４が非常用防災品備蓄庫２０内の空きスペースに収納されている場合は、非常用防災品備蓄庫２０の蓋体２１を開けて、ＡＥＤ４を取り出す。この際も、非常用防災品備蓄庫２０に設けられている防犯機能が働くが、救助者は正規使用なので、意に介せずＡＥＤ４を持ち出し、心室細動になった人に対して使用して蘇生させ得る。【００２５】  以上、本発明の実施例１を説明したが、具体的な構成はこれに限定されず、本発明の要旨を逸脱しない範囲での変更・追加、各請求項における他の組み合わせにかかるものも、適宜可能であることが理解されるべきである。
【産業上の利用可能性】
【００２６】  本発明の救急機器保管運搬システムは、複数あるエレベーターの全てに緊急性の高い救急機器を搭載出来なくても、救急機器搭載エレベーターをまっ先に必要フロアーに呼び出し、直ちに救急機器を入手したいような場合に、利用可能性が極めて高くなる。
【図面の簡単な説明】
【００２７】
【図１】本発明の実施の形態を示す救急機器保管運搬システムの系統図である（実施例１）。
【図２】救急機器を収納する専用ボックスをエレベーター内に設置した状態の斜視図である（実施例１）。
【図３】専用ボックスの防犯のための系統図である（実施例１）。
【図４】救急機器を収納する専用ボックスを非常用防災品備蓄庫と併設した状態を示す斜視図である（実施例１）。
【符号の説明】
【００２８】  １                      救急機器保管運搬システム  ２、２ａ、２ｂ          呼出しスイッチ  ３                      救急機器搭載エレベーター  ３ａ、３ｂ              救急機器非搭載エレベーター（非搭載エレベーター）  ３Ａ                    角  ４                      救急機器（自動体外式除細動器、ＡＥＤ）  ５                      制御機器  ６                      専用ボックス  １０                    側壁  １１                    斜辺側板  １２                    底辺側板  １３                    有底の三角筒体  １４                    蓋体  １５                    蝶番  １６                    蓋体センサ  １７                    防犯ブザー  ２０                    非常用防災品備蓄庫  ２１                    手すり  ２２                    支柱
【図１】
0005557150.tif 000002
【図２】
0005557150.tif 000003
【図３】
0005557150.tif 000004
【図４】
0005557150.tif 000005